(57)【要約】【課題】マニホールドに固定する際には、１箇所のネジ止め作業により行うことができ、作業を簡易、且つ短時間に行う。ネジ止め箇所を１箇所にすることができ、流体漏れが発生する恐れを低減する。【解決手段】接続口部(5)には固定ネジ部(13)を抜止めした状態で回転可能に支持し、マニホールド(3)のネジ孔(3a)に対する固定ネジ部(13)の螺合に伴って接続口部(5)の端面をマニホールド(3)の吐出口部(3b)に圧接して気密接続する。【選択図】        図２
2008019980.tif 000002
【特許請求の範囲】
【請求項１】
互いに連通する流路を有した接続口部及び少なくとも１個以上のホース接続部を有したホース接続管継手において、接続口部には固定ネジ部を抜止めした状態で回転可能に支持し、マニホールドのネジ孔に対する固定ネジ部の螺合に伴って接続口部の端面をマニホールドの吐出口部に圧接して気密接続するホース接続管継手。
【請求項２】
請求項１のホース接続部は、流路と一致する貫通孔を有し、ホースが挿嵌されるニップル部及び該ニップル部の外周側にて外周面にネジが設けられた円筒部をそれぞれ形成し、該円筒部に固定ナット部をネジ止めした際に、該固定ナット部に抜止めされた状態で挿嵌された挟持部材を、円筒部に対する固定ナット部の螺合に伴って縮径方向へ弾性変形してニップル部にホースを押圧して固定可能にしたホース接続管継手。
【請求項３】
請求項２において、円筒部の開口側端部には固定側テーパ面を形成すると共に挟持部材には可動側テーパ面を固定側テーパ面に相対して形成し、円筒部に対する固定ナット部の螺合に伴って固定側テーパ面に可動テーパ面を摺接させることにより挟持部材を縮径方向へ弾性変形してニップル部にホースを固定するホース接続管継手。
【請求項４】
請求項１において、接続口部とホース接続部は、互いの流路を一致させたホース接続管継手。
【請求項５】
請求項１において、接続口部とホース接続部は、互いの流路を所望の角度にしたホース接続管継手。
【請求項６】
請求項１において、接続口部の端部にはパッキングを取付け、マニホールドの吐出口部に対する圧接に伴って弾性変形して気密接続するホース接続管継手。
【発明の詳細な説明】
【技術分野】
【０００１】
本発明は、例えば塗料や洗浄液、薬液等の各種流体を輸送するホースとマニホールドを接続するのに使用するホース接続管継手に関する。
【背景技術】
【０００２】
塗料や洗浄液、薬液等の各種流体を溜めるタンクからの流体を分岐するマニホールドに取付けられてホースを接続するホース接続管継手として、例えば特許文献１に示す接続治具が知られている。該特許文献１に示す接続治具は、外面にネジがそれぞれ形成された小径部及び大径部からなり、内部に流路を有し、マニホールドの取付孔に小径部がネジ止めされるネジ部と、一方端部にホースが挿嵌されるニップル部を有したホース接続部の他方端部にて抜け止めされた状態で回動可能に支持され、ネジ部の大径部にネジ止めされる固定ナット部とから構成される。
【０００３】
そして上記ホースの接続治具は、先ず、マニホールドの取付孔に対してネジ部の小径部をマニホールドの吐出孔と流路が一致するようにネジ止めした後、該ネジ部の大径部に対して固定ナット部をネジ止めしてホース接続部を固定させる。ネジ部の大径部に固定ナット部をネジ止めする際には、大径部の端面に形成されたテーパ面に対してホース接続部の他方端部に形成されたテーパ面を圧接して相互を面シールすることにより気密化（シール）して流体漏れを防止している。
【０００４】
しかし、上記接続治具にあっては、マニホールドに対してネジ部の小径部をネジ止めする作業と、ネジ止めされたネジ部の大径部に対して固定ナット部をネジ止めしてホース接続部を固定する作業をそれぞれ行う必要があり、取付け作業に時間及び手間がかかる問題を有している。
【０００５】
また、マニホールドに対してホースの接続治具を気密に固定して流体漏れを防止するには、マニホールドのネジ孔に対してネジ部の小径部をネジ止めする際、ネジ部の大径部に対してホース接続部をナット止めする際の２箇所で気密化する必要があり、これらの箇所で気密化を確実に行うには、高い熟練度が要求され、作業に時間と手間がかかる問題を有している。
【特許文献１】特開２００２−３４０２４８号公報
【発明の開示】
【発明が解決しようとする課題】
【０００６】
解決しようとする問題点は、マニホールドにホース接続管継手を固定する際に、２箇所でネジ止めする必要があり、その作業に時間と手間がかかる点にある。また、それぞれの箇所でネジ止めする際には、高い気密性でネジ止めしなければならず、その作業に時間と手間がかかる点にある。
【課題を解決するための手段】
【０００７】
本発明は、互いに連通する流路を有した接続口部及び少なくとも１個以上のホース接続部を有したホース接続管継手において、接続口部には固定ネジ部を抜止めした状態で回転可能に支持し、マニホールドのネジ孔に対する固定ネジ部の螺合に伴って接続口部の端面をマニホールドの吐出口部に圧接して気密接続することを特徴とする。
【発明の効果】
【０００８】
本発明は、マニホールドに固定する際には、１箇所のネジ止め作業により行うことができ、作業を簡易、且つ短時間に行うことができる。また、ネジ止め箇所を１箇所にすることができ、流体漏れが発生する恐れを低減することができる。
【発明を実施するための最良の形態】
【０００９】
本発明は、接続口部には固定ネジ部を抜止めした状態で回転可能に支持し、マニホールドのネジ孔に対する固定ネジ部の螺合に伴って接続口部の端面をマニホールドの吐出口部に圧接して気密接続することを最良の形態とする。
【実施例】
【００１０】
以下に実施形態を示す図に従って本発明を説明する。
図１及び図２において、ホース接続管継手１は、例えばステンレス鋼等の金属材料又はポリアミド系のエンジニアリング樹脂により形成され、マニホールド３のネジ孔３ａにネジ止めされる接続口部５と、ホース７が接続されるホース接続部９とから構成される。これら接続口部５とホース接続部９には、互いに軸線を一致させて連通する流路１ａが形成されている。
【００１１】
上記接続口部５の接続部５ａは、軸線方向に延出し、ホース接続部９側の端部外周に大径部５ｂが一体形成されている。また、接続部５ａの先端部にはOリング１１を装着するための小径部５ｃが形成されている。
【００１２】
上記接続部５ａの外周には固定ネジ部１３が、軸線方向へ抜け止めされた状態で、回転可能に挿嵌されている。即ち、固定ネジ部１３の内周面には係合凹部１３ａが軸線周りに形成され、該係合凹部１３ａに対する大径部５ｂの係合により抜け止めされる。また、固定ネジ部１３の先端側外周面には雄ネジ１３ｂが、マニホールド３のネジ孔３ａの内周面に形成された雌ネジに螺合するように形成されている。
【００１３】
一方、ホース接続部９の端部には流路１ａと連通する軸孔１５ａを有し、軸線方向へ所要の長さで延出するニップル部１５が、また該ニップル部１５の外周側に円筒部１７が所要の空隙を設けて一体形成されている。該円筒部１７の外周面には雄ネジ１７ａが、また円筒部１７の開口側にはテーパ面１７ｂが形成されている。
【００１４】
そして円筒部１７には内部にポリアミド等のエンジニアリング樹脂からなる挟持部材としての押圧スリーブ１９が抜止めされた状態で挿嵌された固定ナット部２１が噛合わされる。上記押圧スリーブ１９の端部外周面にはテーパ面１９ａが円筒部１７のテーパ面１７ｂに相対して形成され、テーパ面１７ｂに対する摺接に伴って押圧スリーブ１９を縮径方向へ弾性変形させる。尚、押圧スリーブ１９の内径は、ホース７の外径にほぼ一致している。
【００１５】
次に、上記のように構成されたホース接続管継手１によるマニホールド３へのホース７接続作用を説明する。
図３に示すように、マニホールド３にホース接続管継手１を固定するには、ネジ孔３ａ内に対して接続口部５側を差し込んだ状態で固定ネジ部１３をネジ止めすると、ネジ孔３ａに対する雄ネジ１３ａの螺合に伴って接続部５ａの先端面をネジ孔３ａ内の吐出口部３ｂに圧接させる。このとき、接続部５ａの小径部５ｄに取付けられたOリング１１は、上記圧接に伴って弾性変形して吐出口部３ｂに対して接続部５ａの先端部を気密状態で接続し、流体漏れを回避することを可能にしている。
【００１６】
次に、固定ナット部２１内に取付けられた押圧スリーブ１９内に挿通されたホース７の端部をニップル部９ａの外周面全体に亘って挿嵌した後、固定ナット部２１を円筒部１７にネジ止めすると、図４に示すように雄ネジ１７ａに対する固定ナット部２１の螺合に伴ってテーパ面１７ｂに対するテーパ面１９ａの摺接に伴って押圧スリーブ１９を縮径方向へ弾性変形させることによりニップル部１５に挿嵌されたホース７の端部を押圧して挟持固定させる。これによりホース７は、ニップル部１５に対して気密状態で固定される。
【００１７】
本実施例は、マニホールド３のネジ孔３ａに対して固定ネジ部１３をネジ止めする１回の作業でマニホールド３にホース接続管継手１を取付けることができ、作業時間を短縮することができる。しかも、マニホールド３に対するホース接続管継手１のシール箇所を１箇所にすることができ、高い気密性を確保して流体漏れを少なくすることができる。
本発明は、以下のように変更実施することができる。
【００１８】
１．上記説明は、接続口部５及びホース接続部９の軸線を一致させた構成としたが、図５に示すように接続口部５とホース接続部９とを互いの軸線が直交するように構成してエルボ型のホース接続管継手５１としてもよい。
【００１９】
２．同様に、図６に示すように接続口部５に対して２個のホース接続部９を、互いの軸線が直交する構成のＴ字型のホース接続管継手６１としてもよい。
尚、上記１及び２の変更実施例においては、実施例と同一の部材に付いては、同一の符号を付して詳細な説明を省略する。
【図面の簡単な説明】
【００２０】
【図１】ホース接続管継手の全体斜視図である。
【図２】ホース接続管継手の中央縦断面図である。
【図３】マニホールドに対するホース接続管継手の固定状態を示す説明図である。
【図４】ホース接続部に対するホースの固定状態を示す説明図である。
【図５】本発明の変更実施例を示す説明図である。
【図６】本発明の変更実施例を示す説明図である。
【符号の説明】
【００２１】
１  ホース接続管継手
１ａ  流路
３  マニホールド
３ａ  ネジ孔
３ｂ  吐出口部
５  接続口部
７  ホース
９  ホース接続部
１３  固定ネジ部
１５  ニップル部
２１  固定ナット部
【図１】
2008019980.tif 000003
【図２】
2008019980.tif 000004
【図３】
2008019980.tif 000005
【図４】
2008019980.tif 000006
【図５】
2008019980.tif 000007
【図６】
2008019980.tif 000008